(57)【要約】【課題】  安全性の高い商品情報管理システムおよび方法、そこで用いられるＩＣタグ、ならびにこのＩＣタグ内に記憶されたデータを隠蔽するＩＣタグデータ隠蔽方法を実現する。【解決手段】  第１のＩＣタグ１内に記憶されるデータを、第１のＩＣタグ１とは異なる第２のＩＣタグ２に記憶されたデータを用いて暗号化し、第１のＩＣタグ１に記憶されるデータを隠蔽する。このようにして暗号化された第１のＩＣタグ１内のデータは、第２のＩＣタグ２に記憶されたデータを用いたときのみ復号化される。【選択図】      図１
2005092625.tif 000002
【特許請求の範囲】
【請求項１】
ＩＣタグ内に記憶されたデータを暗号化して該データを隠蔽するＩＣタグデータ隠蔽方法であって、
第１のＩＣタグに記憶されたデータを、第２のＩＣタグに記憶されたデータを用いて暗号化することを特徴とするＩＣタグデータ隠蔽方法。
【請求項２】
ＩＣタグ内に記憶されたデータを暗号化して該データを隠蔽するＩＣタグデータ隠蔽方法であって、
第２のＩＣタグに記憶されたデータを用いて暗号化された第１のＩＣタグに記憶されたデータを、前記第２のＩＣタグに記憶されたデータを用いて復号化することを特徴とするＩＣタグデータ隠蔽方法。
【請求項３】
前記第２のＩＣタグのデータ送受信部に、読取り制限手段を設ける請求項１または２に記載のＩＣタグデータ隠蔽方法。
【請求項４】
所定のデータを記憶するＩＣタグであって、
該ＩＣタグとは異なるさらなるＩＣタグに記憶されたデータを用いて、前記所定のデータが暗号化されていることを特徴とするＩＣタグ。
【請求項５】
所定のデータを記憶するＩＣタグであって、
該ＩＣタグとは異なるさらなるＩＣタグに記憶されたデータを用いて暗号化された前記所定のデータが、前記さらなるＩＣタグに記憶されたデータを用いて復号化されることを特徴とするＩＣタグ。
【請求項６】
商品に係る情報データを、該商品に取り付けられる第１のＩＣタグとは異なる第２のＩＣタグに記憶されたデータを用いて暗号化する暗号化ステップと、
該暗号化ステップにおいて暗号化された前記情報データを、前記第１のＩＣタグに記憶させる記憶ステップと、を備えることを特徴とする商品情報管理方法。
【請求項７】
前記暗号化ステップおよび前記記憶ステップは、前記商品があるサイトから別のサイトへ移動する前に実行される請求項６に記載の商品情報管理方法。
【請求項８】
商品に取り付けられる第１のＩＣタグとは異なる第２のＩＣタグに記憶されたデータを用いて暗号化されて前記第１のＩＣタグに記憶された商品に係る情報データを、前記第２のＩＣタグに記憶されたデータを用いて復号化する復号化ステップを備えることを特徴とする商品情報管理方法。
【請求項９】
前記復号化ステップは、前記商品があるサイトから別のサイトへ移動した後に実行される請求項８に記載の商品情報管理方法。
【請求項１０】
前記第２のタグは、前記商品を梱包する梱包材に取り付けられる請求項６または８に記載の商品情報管理方法。
【請求項１１】
商品に係る情報データを、該商品に取り付けられる第１のＩＣタグとは異なる第２のＩＣタグに記憶されたデータを用いて暗号化する暗号化手段と、
該暗号化手段によって暗号化された前記情報データを、前記第１のＩＣタグに記憶させる記憶手段と、を備えることを特徴とする商品情報管理システム。
【請求項１２】
前記暗号化手段による前記の暗号化処理および前記記憶手段による前記の記憶処理は、前記商品があるサイトから別のサイトへ移動する前に実行される請求項１１に記載の商品情報管理システム。
【請求項１３】
商品に取り付けられる第１のＩＣタグとは異なる第２のＩＣタグに記憶されたデータを用いて暗号化されて前記第１のＩＣタグに記憶された商品に係る情報データを、前記第２のＩＣタグに記憶されたデータを用いて復号化する復号化手段を備えることを特徴とする商品情報管理システム。
【請求項１４】
前記復号化手段による前記の復号化処理は、前記商品があるサイトから別のサイトへ移動した後に実行される請求項１３に記載の商品情報管理システム。
【請求項１５】
前記第２のタグは、前記商品を梱包する梱包材に取り付けられる請求項１１または１３に記載の商品情報管理システム。
【発明の詳細な説明】
【技術分野】
【０００１】
本発明は、所定のデータを記憶するＩＣタグ、ＩＣタグ内に記憶されたデータを隠蔽するＩＣタグデータ隠蔽方法、ならびにＩＣタグを用いた商品情報管理システムおよび方法に関する。
【背景技術】
【０００２】
商品もしくは商品情報を管理するシステムでは、一般にバーコードが用いられる。しかし、バーコードで表すことができる情報量は限られている。また、一度バーコードが印刷されるとその後は書き換えることができないので、情報を変更する場合は、新しいバーコードを古いバーコードの上などに貼り付ける必要がある。さらに、バーコードの読取りには、バーコードリーダをバーコードに押し当てる必要があるが、特に大量の商品を管理する場合などではこのような読取り作業は非効率的である。
【０００３】
このようなことから、バーコードに代えて非接触型のＩＣタグを商品もしくは商品情報を管理するシステムに導入することが検討されている。
【０００４】
ＩＣタグは、データ記憶用のＩＣメモリを内蔵しており、リーダライタを介してデータの読取りおよび書込みを非接触で行うことができるので取り扱いが容易である。ＩＣタグに記憶できる情報量は、バーコードで表現できる情報量よりも多く、一度記録した情報の書換えも可能である。
【０００５】
特に、ＩＣタグ内の情報に非接触でアクセスすることができることから、例えばリーダライタを設置したゲート内にＩＣタグ付きの商品を通すだけでも情報の読み書きが可能となるので、大量の商品の管理にも適している。
【０００６】
このようなことから、今後は、商品もしくは商品情報の管理にはＩＣタグが普及していくものと思われる。ＩＣタグには、その取り扱いの容易さおよび記憶量の多さから、単なる商品情報だけではなく顧客情報や店舗情報などについても記憶されるようになり、商品もしくは商品情報のさらに高度な管理が可能である。
【発明の開示】
【発明が解決しようとする課題】
【０００７】
上述のようにＩＣタグは、リーダライタにある程度近づけるだけで、記憶された情報を読み取ることができる。したがって、特に顧客情報や店舗情報などのようなプライバシー性の高い情報をＩＣタグに記憶させた場合は、悪意を持った第三者に読み取られてしまう危険性が存在する。特にＩＣタグは、ＩＣカードと比較して安価である反面、セキュリティ機能は持たない。
【０００８】
従って本発明の目的は、上記問題に鑑み、安全性の高い商品情報管理システムおよび方法、そこで用いられるＩＣタグ、ならびにこのＩＣタグ内に記憶されたデータを隠蔽するＩＣタグデータ隠蔽方法を提供することにある。
【課題を解決するための手段】
【０００９】
上記目的を実現するために、本発明においては、第１のＩＣタグ内に記憶されるデータを、第１のＩＣタグとは異なる第２のＩＣタグに記憶されたデータを暗号鍵として用いて暗号化し、第１のＩＣタグに記憶されるデータを隠蔽する。このようにして暗号化されたデータは、第２のＩＣタグに記憶されたデータを復号鍵として用いたときのみ復号化することができる。
【００１０】
上述のＩＣタグデータ隠蔽方法を用いて暗号化されたデータを記憶したＩＣタグを商品に取り付ければ、リーダライタを用いて該ＩＣタグに記憶されたデータを読み取ったとしても、暗号化されたままの状態のデータでしかないので、安全性が高い。
【発明の効果】
【００１１】
本発明によれば、安全性の高い商品情報管理システムおよび方法、そこで用いられるＩＣタグ、ならびにこのＩＣタグ内に記憶されたデータを隠蔽するＩＣタグデータ隠蔽方法を提供することができる。
【００１２】
本発明による商品情報管理システムを用いれば、例えば商品が流通する過程で不正流出した場合は、該商品に取り付けられたＩＣタグ内のデータは暗号化されたままなので、正規の流通品でないことを確認することができる。
【発明を実施するための最良の形態】
【００１３】
図１は、本発明の実施例によるＩＣタグデータ隠蔽方法の原理説明図であり、（ａ）は暗号化処理前、（ｂ）は暗号化処理後、（ｃ）は復号化処理後を示す図である。以降、異なる図面において同じ参照番号が付されたものは同じ構成要素であることを意味するものとする。
【００１４】
本実施例では、第１のＩＣタグ１に記録されるデータを隠蔽する場合について説明する。図１（ａ） に示すように、ここでは、第１のＩＣタグ１内のメモリに記録されるべきデータを「情報：１５−１０１」とする。また、第２のＩＣタグ２の例えばＩＤ番号（いわゆる「ユニークなＩＤ」）を「ＩＤ：１２３４５」とする。ＩＤ番号は、ＩＣタグごとに付される固有の識別子であり、ＩＣタグ内のメモリの所定の領域に記憶されている。
【００１５】
第１のＩＣタグ１内のメモリに記憶されたデータ「情報：１５−１０１」をリーダライタを用いて読み出し、第２のＩＣタグ２に記憶されたデータ「ＩＤ：１２３４５」を暗号鍵として用いて暗号化する。これを再度第１のＩＣタグ１にリーダライタを用いて書き込む。これにより、第１のＩＣタグ１内のデータは、当初のデータ「情報：１５−１０１」とは全く異なった内容のデータになる。ここでは、暗号化処理後の第１のＩＣタグ１のデータを、図１（ｂ）に示すように「情報：？？？？？？」として例示している。暗号化されたままの状態においてリーダライタで第１のＩＣタグ１内のデータを読み取ったとしても意味のないデータでしかないので、第三者にデータが読み取られても実際の記憶内容を解読されることはない。
【００１６】
このように暗号化されて隠蔽された第１のＩＣタグ１に記憶されたデータは、第２のＩＣタグ２に記憶されたデータ「ＩＤ：１２３４５」を復号鍵として用いて復号化することができる。これにより、図１（ｃ）に示すように暗号化処理前のデータである「情報：１５−１０１」を取り出すことができる。
【００１７】
なお、上述の暗号化処理および復号化処理自体の具体的なアルゴリズムは本発明を特に限定するものではなく、どのような処理態様であってもよい。また、各ＩＣタグ内のデータの読出しおよび書込みは通常のリーダライタを用いればよい。上述の暗号化処理および復号化処理を実行する装置は、リーダライタ内に設けられてもよいし、独立した装置として実現してもよい。
【００１８】
なお、上述の例では、第２のＩＣタグ２の例えばＩＤ番号を暗号鍵および復号鍵として用いて第１のＩＣタグ１のデータの暗号化および復号化を実行したが、第２のＩＣタグ２のメモリ内に記憶されたデータであればその他のデータを暗号鍵および復号鍵として用いてもよい。
【００１９】
このように、本発明によれば、所定のデータを記憶するＩＣタグについて、該ＩＣタグとは異なるさらなるＩＣタグに記憶されたデータを暗号鍵として用いて、前記の所定のデータが暗号化される。したがって、本発明では、少なくとも２つのＩＣタグが必要となり、所定のデータを記憶するＩＣタグと、この所定のデータを暗号化するデータ（すなわち暗号鍵）を記憶するさらなるＩＣタグとの間で、言わば「親と子の関係」が成り立つ。つまり、子のＩＣタグのメモリ内のデータの暗号化および復号化には、親のＩＣタグの情報が必要となる。
【００２０】
このようなＩＣタグの主従関係は、ＩＣタグの数が増えても成り立つ。図２は、本発明の実施例におけるＩＣタグの主従関係を例示する相関図である。
【００２１】
図２に示す例においては、ＩＣタグＢおよびＩＣタグＣ内の各データは、ＩＣタグＡ内のデータを暗号鍵および復号鍵として用いて暗号化および復号化される。また、ＩＣタグＤ内のデータは、ＩＣタグＢ内のデータを暗号鍵および復号鍵として用いて暗号化および復号化される。また、ＩＣタグＥおよびＩＣタグＦ内の各データは、ＩＣタグＣ内のデータを暗号鍵および復号鍵として用いて暗号化および復号化される。このように本発明におけるＩＣタグ間の主従関係は、親子に限らず、孫あるいは曾孫以上など、階層の段数は際限なく成り立つ。
【００２２】
図３は、本発明の実施例による商品情報管理システムを例示する図である。ここでは、商品ａ、ｂおよびｃがダンボール５内に梱包される例について説明する。
【００２３】
商品ａ、ｂおよびｃには、該商品に関する情報が記憶されたＩＣタグ１−ａ、１−ｂおよび１−ｃが取り付けられる。
【００２４】
一方、ダンボール５にも所定の情報が記憶されたＩＣタグ２が取り付けられる。なお、ＩＣタグ２のデータ送受信部に、読取り制限手段を設け、セキュリティをさらに向上させてもよい。例えば、ＩＣタグ２のアンテナコイルを覆うように金属製のシールドを設け、該シールドを剥がさなければＩＣタグ２にアクセスすることができないような構造にしてもよい。この場合、シールドの表面をダンボール５に似た色や質感にしたり、あるいは何らかのカモフラージュを施すなどしてＩＣタグの存在を目立たせないようにすればより効果的である。またあるいは、ＩＣタグ２のアンテナコイルの一部分を遮断するような構造を有するスイッチもしくはＩＣタグ２の同調回路を遮断するような構造を有するスイッチを設けて、該スイッチを操作しなければＩＣタグ２にアクセスすることができないような構造にしてもよい。なお、本実施例では商品を梱包する梱包材を一例としてダンボールとしたが、その他のものであってもよく、例えば紙袋、ビニール袋、発泡スチロール、木箱、金属製の箱などであってもよい。
【００２５】
ＩＣタグ１−ａ、１−ｂおよび１−ｃに記憶される商品に関する情報の具体例としては、商品が、例えば食品類であれば商品名、商品の特徴、価格、銘柄、産地などがあり、例えば衣類であれば商品名、サイズ、色もしくは柄などの商品の特徴、価格、ブランド名、製造場所などがあり、例えば電気製品であれば、商品名、商品の特徴、価格、メーカー名、製造番号などがあり、例えば書籍類であれば、タイトル、著者名、出版社名、価格などがある。あるいは、これら商品情報に代えてもしくはこれら商品情報に加えて、商品を購入した顧客に関する情報をＩＣタグ１−ａ、１−ｂおよび１−ｃに記憶してもよい。
【００２６】
一方、ＩＣタグ２には、上述のＩＣタグ１−ａ、１−ｂおよび１−ｃに記憶された各情報を暗号化する暗号鍵として用いられるデータが記憶される。暗号鍵として用いるデータの例としては、ダンボールの配送先の店舗番号、販売先の顧客番号、ダンボールの識別番号、などがある。あるいは単に、ＩＣタグに予め付されたユニークなＩＤであってもよい。
【００２７】
図３の例では、ＩＣタグ２に記憶されたデータを暗号鍵として用いて予め暗号化されてあるデータが記憶されたＩＣタグ１−ａ、１−ｂおよび１−ｃが商品ａ、ｂおよびｃにそれぞれ取り付けられている。
【００２８】
このとき、例えば商品ｃに関する情報を知りたい場合は、ＩＣタグ１−ｃおよびＩＣタグ２に記憶された各データをリーダライタ３を用いて読み取って復号化処理４を実行する。これにより、商品ｃに関する情報（例えば「情報：１５−１０１」）を取り出すことができる。
【００２９】
一方、ＩＣタグ１−ｃに記憶された情報をリーダライタ３を用いて単に読み取っただけでは、暗号化されたままの状態であるので、意味のないデータでしかない。したがって、商品単体が紛失もしくは盗難にあい、第三者がリーダライタを用いて該商品に取り付けられたＩＣタグに記録されたデータを読み取ったとしても、該データは暗号化されたままなのでその内容を解読することはできない。また、例えば商品が流通する過程で不正流出した場合は、該商品に取り付けられたＩＣタグ内のデータは暗号化されたままなので、正規の流通品でないということを確認することができる。
【００３０】
図４は、本発明の実施例による商品情報管理システムを用いた流通システムを例示する図である。
【００３１】
上述した、商品に係る情報データをダンボールのＩＣタグに記憶されたデータを用いて暗号化する暗号化処理、および、この暗号化処理において暗号化された情報データを商品のＩＣタグに記憶させる記憶処理は、商品があるサイトから別のサイトへ移動する前に実行するのが好ましい。そして、ダンボールに取り付けられたＩＣタグに記憶されたデータを用いて暗号化されて商品のＩＣタグに記憶された商品に係る情報データを、ダンボールのＩＣタグに記憶されたデータを用いて復号化する復号化処理は、商品があるサイトから別のサイトへ移動した後に実行するのが好ましい。こうすることによって、商品があるサイトから別のサイトへの移動中は商品のＩＣタグ内のデータは常に暗号化された状態にあることになるので、該データへの不正なアクセスがあっても、その内容は解読できないので安全である。
【００３２】
図４に例示するように、まず、商品を製造する工場１１では、商品をダンボールに梱包するときに、商品情報データをダンボールのＩＣタグに記憶されたデータを用いて暗号化して商品のＩＣタグにリーダライタを用いて記録する。なお、工場ではなく商品の配送センターや倉庫などでこの処理を実行してもよい。商品が工場１１から店舗１２へ運搬されている間は、商品のＩＣタグ内のデータは暗号化された状態にある。
【００３３】
店舗１２では、商品の搬入時や商品棚への陳列時に、ダンボールのＩＣタグおよび商品のＩＣタグそれぞれに記録されたデータをリーダライタを用いて読み出し、商品のＩＣタグに記憶された商品情報のデータを、ダンボールのＩＣタグに記憶されたデータを用いて復号化する。復号化された商品情報のデータは、商品のＩＣタグにリーダライタを用いて書き込まれる。店内では、復号化された商品情報を用いて、精算、在庫管理などの業務を行う。
【００３４】
顧客が商品を購入したときは、例えば顧客の有するＩＣタグ内のデータをリーダライタを用いて読み出してこれを暗号鍵とし、同じくリーダライタを用いて読み出した該商品の商品情報をこの暗号鍵を用いて暗号化する。顧客の有するＩＣタグは、例えば店舗の会員カードやポイントカード、クレジットカード、デビットカード、身分証明書などに埋め込まれたＩＣタグであり、それに記憶される情報の例としては、氏名、年齢、性別、職業、住所、過去の買い物履歴、クレジット情報、あるいは店舗の還元ポイントなどが考えられる。
【００３５】
顧客は自宅１３に着いたら、購入した商品のＩＣタグ内の情報をリーダライタを用いて読み出し、自分が所有するＩＣタグ内の情報を用いて復号化し、リーダライタを用いてＩＣタグに記録する。自宅１３では、復号化されたデータを使用する。自宅でのＩＣタグのデータの使用例としては、例えば商品が食品である場合、内部にリーダライタを備える冷蔵庫内にこの食品が保管されたとき、その商品情報を読み出せるようにしてもよい。また例えば商品が衣類である場合、内部にリーダライタを備えるクローゼット内にこの衣類が保管されたとき、その商品情報を読み出せるようにしてもよい。
【００３６】
本発明の他の応用例としては、例えば自動車盗難防止システムへの適用が考えられる。このシステムは、運転免許証および自動車のキーのそれぞれに本発明のＩＣタグを取り付ける。そして、自動車キーに取り付けたＩＣタグ内の暗号化済情報が、運転免許証に取り付けたＩＣタグ内の情報で復号化されたときにはじめてキー操作可能となるようにすればよい。
【産業上の利用可能性】
【００３７】
流通や物流の分野において、商品情報だけではなく顧客情報や店舗情報などを書込みおよび読出し可能なＩＣタグを用いた商品もしくは商品情報の高度な管理を安善に実現することができる。例えば商品が流通する過程で不正流出した場合は、該商品に取り付けられたＩＣタグ内のデータは暗号化されたままなので、正規の流通品でないことを確認することができる。
【図面の簡単な説明】
【００３８】
【図１】本発明の実施例によるＩＣタグデータ隠蔽方法の原理説明図であり、（ａ）は暗号化処理前、（ｂ）は暗号化処理後、（ｃ）は復号化処理後を示す図である。
【図２】本発明の実施例におけるＩＣタグの主従関係を例示する相関図である。
【図３】本発明の実施例による商品情報管理システムを例示する図である。
【図４】本発明の実施例による商品情報管理システムを用いた流通システムを例示する図である。
【符号の説明】
【００３９】
１、１−ａ、１−ｂ、１−ｃ…第１のＩＣタグ
２…第２のＩＣタグ
３…リーダライタ
４…復号化処理手段
５…ダンボール
ａ、ｂ、ｃ…商品
１１…工場
１２…店舗
１３…自宅
【図１】
2005092625.tif 000003
【図２】
2005092625.tif 000004
【図３】
2005092625.tif 000005
【図４】
2005092625.tif 000006